(57)【要約】【課題】    コンクリート構造物の外壁補修工事を行う際に外断熱工事を併せて行うことができる外壁補修工法を提供すること。【解決手段】    コンクリート躯体１の外装材２に樹脂モルタルによる中塗り材５を塗布する工程、中塗り材５が硬化しないうちに樹脂系のネット６を埋設する工程、中塗り材５が硬化してからネット固定莢管１０をコンクリート躯体に達するまで打込んでネット固定莢管１０に形成したフランジ部１１によりネット６を押え付ける工程、ネット固定莢管１０に断熱材連結ピン２０の打込み棒２２を打込んでネット固定莢管１０から連結軸２１を突出する工程と、連結軸２１に断熱材３０を突刺して断熱材を外装材２の表面に固定する工程とからなるものであり、断熱材連結ピン２０の連結軸２１の長さが断熱材３０の厚みの略半分の長さに形成されている。【選択図】    図１
2006002467.tif 000002
【特許請求の範囲】
【請求項１】
コンクリート躯体（１）の表面に形成された外装材（２）に樹脂モルタルによる中塗り材（５）を塗布する工程と、該中塗り材が硬化しないうちに樹脂系のネット（６）を当該中塗り材中に埋設する工程と、上記中塗り材が硬化してからネット固定莢管（１０）を上記コンクリート躯体に達するまで打込んで該ネット固定莢管に形成したフランジ部（１１）により上記ネットを押え付ける工程と、上記中塗り材の表面に露出している上記ネット固定莢管に一端に連結軸（２１）を有し他端に打込み棒（２２）を形成した断熱材連結ピン（２０）の上記打込み棒を打込んで当該ネット固定莢管から上記連結軸を突出させる工程と、該連結軸に断熱材（３０）を突刺して当該断熱材を硬化した上記中塗り材の表面に固定する工程とからなり、上記断熱材連結ピンの連結軸の長さが断熱材の厚みの略半分の長さに形成されていることを特徴とするコンクリート構造物の外壁補修工法。
【請求項２】
断熱材連結ピン（２０）の連結軸（２１）の表面が螺旋状または複数の突条線に形成されたものであることを特徴とする請求項１に記載のコンクリート構造物の外壁補修工法。
【請求項３】
断熱材連結ピン（２０）の連結軸（２１０）の表面が複数の突起に形成されたものであることを特徴とする請求項１に記載のコンクリート構造物の外壁補修工法。
【請求項４】
断熱材（３０）の表面に樹脂系のネット（３１）を埋設した樹脂モルタルによる仕上げ材（３２）を塗布し、次いで該仕上げ材の表面に仕上げ塗装材（３３）を選択的に塗布したことを特徴とする請求項１から３のいずれかに記載のコンクリート構造物の外壁補修工法。
【発明の詳細な説明】
【技術分野】
【０００１】
本発明は、コンクリート構造物の外壁補修工法に関しており、さらに詳しくは、コンクリート構造物の外壁落下防止と外断熱工事を併せて行う外壁補修工法に関している。
【背景技術】
【０００２】
従来から、コンクリート構造物の外壁補修工事が施工されている。コンクリート構造物の外壁が、タイル又はモルタルの外装材で形成されている場合に適合する補修方法が特許文献１に開示されている。
【０００３】
特許文献１に記載された外壁補修方法は、コンクリート建造物の外壁（１）がタイル又はモルタル仕上げ（５）であるものにおいて、タイル又はモルタル仕上げ外壁の浮きによる剥離部位の表面に下地材としてラテックスモルタル（７）を塗布し、その上にポリエステルネット（８）を配置し、次いで該ネットの上からコンクリート躯体（３）に向ってフランジ付きのピン（１０）を打込み、該ピンのフランジ部（１０ａ）を上記ネットに係止して当該ネットを躯体外壁に固定し、さらに、躯体外壁に固定されたネットの上からピンのフランジ部が隠れるように仕上げモルタル（１１）を塗布したものである。
【０００４】
特許文献１に記載された外壁補修方法は、コンクリート躯体（３）の外壁表面に配置したポリエステルネット（８）をフランジ付きのピン（１０）により固定したことにより、ネットの押さえ効果を増大して躯体から剥離している外壁の剥落を防止するものである。また、外壁表面に固定したネットの上からピンのフランジ部が隠れるように仕上げモルタル（１１）を塗布しているので、補修後の外壁表面が美麗に仕上がるだけでなく、外装材を剥離しないで躯体に残したまま補修できるので、余分な廃棄物を出さない等の利点が好まれ広く普及している補修工事である。
【０００５】
近年になり、コンクリート構造物の断熱工事が、断熱材を構造物の外側に設置する所謂外断熱工法が採用されるようになってきている。従来から、コンクリート構造物が新築の場合は外断熱工事の施工方法も種々の方法が提案されているが、コンクリート構造物の外壁補修に合わせて外断熱工事を施工することは提案されたことがなかった。コンクリート構造物は、外断熱工事をすると躯体の耐用年数が延びるものであり、既存の構造物にあっては、外壁補修工事に合わせて構造物の外断熱工事を行うことが要望されている。
【０００６】
【特許文献１】特開平４−３３０１４８号公開特許公報
【発明の開示】
【発明が解決しようとする課題】
【０００７】
本発明は、コンクリート構造物の外壁補修工事を行う際に外断熱工事を併せて行うことができる外壁補修工法を提供することを課題としている。
【課題を解決するための手段】
【０００８】
解決手段の第１は、コンクリート躯体の表面に形成された外装材に樹脂モルタルによる中塗り材を塗布する工程と、該中塗り材が硬化しないうちに樹脂系のネットを当該中塗り材中に埋設する工程と、上記中塗り材が硬化してからネット固定莢管を上記コンクリート躯体に達するまで打込んで該ネット固定莢管に形成したフランジ部により上記ネットを押え付ける工程と、上記中塗り材の表面に露出している上記ネット固定莢管に一端に連結軸を有し他端に打込み棒を形成した断熱材連結ピンの上記打込み棒を打込んで当該ネット固定莢管から上記連結軸を突出させる工程と、該連結軸に断熱材を突刺して当該断熱材を硬化した上記中塗り材の表面に固定する工程とからなり、上記断熱材連結ピンの連結軸の長さが断熱材の厚みの略半分の長さに形成されていることを特徴とするものである。
解決手段の第２は、解決手段の第１において、断熱材連結ピンの連結軸の表面が螺旋状または複数の突条線に形成されたものであることを特徴とする。
解決手段の第３は、解決手段の第１において、断熱材連結ピンの連結軸の表面が複数の突起に形成されたものであることを特徴とする。
解決手段の第４は、解決手段の第１から３のいずれかにおいて、断熱材の表面に樹脂系のネットを埋設した樹脂モルタルによる仕上げ材を塗布し、次いで該仕上げ材の表面に仕上げ塗装材を選択的に塗布したことを特徴とする。
【発明の効果】
【０００９】
本発明は、コンクリート躯体の表面に形成された外装材に樹脂系ネットを埋設して樹脂モルタルによる中塗り材を塗布し、中塗り材が硬化してからフランジ付きのネット固定莢管を躯体に打込んで該フランジ部によって上記ネットを固定し、次いでネット固定莢管に断熱材連結ピンを打込んで該ネット固定莢管から連結軸を突出させ、当該連結軸に断熱材を突刺して固定することで外壁補修と外断熱工事を同時に行えるものであり、上記連結軸の長さを断熱材の厚みの略半分の長さに形成したものであるから、断熱材連結ピンがヒートブリッジとなってコンクリート躯体内に熱を伝えるのを阻止するので高精度な外断熱となるものである。また、断熱材連結ピンの連結軸は表面に螺旋状または複数の突条線を形成したものであるから、断熱材を突刺して固定した時に断熱材が脱落し難いことの効果がある。
【発明を実施するための最良の形態】
【００１０】
図１はコンクリート構造物の外壁補修工事と外断熱工事を施工した状態を示す断面図であり、図２はピン部材を示しており、（ａ）はネット固定莢管及び断熱材連結ピンの斜視図、（ｂ）はネット固定莢管の斜視図及び断熱材連結ピンの側面図である。
【００１１】
実施形態は、コンクリート躯体の表面に形成した外装材がタイル張りの場合の補修工事である。図１において、１はコンクリート躯体、２はコンクリート躯体１の表面に形成した外装材で、モルタル層３及び該モルタル層３に張付けたタイル４からなるものである。実施形態では、コンクリート躯体１とモルタル層３の間またはモルタル層３とタイル４の間に剥離が生じ、外装材２がコンクリート躯体１から剥落する危険がある状態となっているものである。
【００１２】
外装材の剥落防止工事は以下の工程である。外装材２の表面に樹脂モルタルによる中塗り材５を塗布し、該中塗り材５が硬化しないうちに樹脂系のネット６を張り、金鏝等により中塗り材５中に上記したネット６を埋設する。次いで、中塗り剤５を養生しながら硬化させ、硬化した中塗り材５の上から適宜間隔を隔ててネット固定莢管１０を打込む。ネット固定莢管１０を固定するための打込み穴７は、ネット固定莢管１０と同一径及び同一長さの内径並びに深さに外装材２の表面からコンクリート躯体１までに穿孔する。ここで、打込み穴７にネット固定莢管１０を挿入し、基端部に形成したフランジ部１１によってネット６を押え付け、当該ネット６を外装材２の表面に固定することで外装材２の剥落を防止するものである。
【００１３】
外断熱工事は以下の工程である。外装材２の表面に張ったネット６を固定しているネット固定莢管１０に断熱材連結ピン２０を打込み、該断熱材連結ピン２０の基端部に設けた連結軸２１を外装材２から突出し、突出させた連結軸２１に断熱材３０を突刺して固定するものであり、断熱材３０の表面には、樹脂系のネット３１と共に樹脂モルタルによる仕上げ材３２を塗布し、さらに仕上げ材３２の表面に仕上げ塗装材３３を塗布する。なお、断熱材３０を外装材２の表面に固定する時は、櫛鏝等を使用して接着面に接着用セメントを塗布してから固定する。
【００１４】
実施形態で、断熱材３０の表面には、仕上げ材３２を塗布した上に仕上げ塗装材３３を塗布しているが、仕上げ材３２がそのまま外壁仕上げ材として利用できる時は、仕上げ塗装材３３を省略することができる。
【００１５】
次に、図２を参照して外装材を固定し同時に断熱材を連結固定するピン部材について説明する。ピン部材は、ネット固定莢管１０と断熱材連結ピン２０とからなっている。ネット固定莢管１０は、基端部にフランジ部１１を設け、先端部に開口端から軸方向に沿って２本のスリット１２を形成し、該スリット１２が形成された範囲に管体内部に向う突出部を形成して拡開部１３を設けたものである。また、断熱材連結ピン２０は、基端部に連結軸２１を設け、先端部に打込み棒２２を設けたものであり、連結軸２１は表面が螺旋状又は複数の突条線２１ａを設けている。なお、断熱材連結ピン２０の連結軸２１と打込み棒２２との境界部には小径フランジ２３が形成されている。
【００１６】
実施形態において、断熱材３０は、発泡ポリスチレンであり、厚みは５０〜１００ｍｍである。また、ピン部材は、ステンレス鋼を使用しており、ネット固定莢管１０が、外径６ミリ、長さ５０〜８０ｍｍであり、断熱材連結ピン２０が、連結軸２１の部分は外径６ｍｍ、長さ２５〜５０ｍｍ、打込み棒２２の部分は外径４．４ｍｍ、長さ５０〜８０ｍｍである。
【００１７】
断熱材連結ピン２０の連結軸２１は、断熱材３０内に打込まれた時にヒートブリッジとなってコンクリート躯体１内に外気熱を伝えるのを阻止するために、連結軸２１の長さを断熱材３０の厚みの概ね半分の長さとしている。すなわち、断熱材３０の厚みが５０ｍｍの場合は、連結軸２１の長さを２５ｍｍとする。また、打込み棒２２の長さは、ネット固定莢管１０と同じ長さにする。また、断熱材連結ピン２０の連結軸２１は、表面に螺旋状または複数の突条線２１ａを形成したものであるから、断熱材３０を突刺して固定した時に断熱材が確実に固定し脱落し難いものとなる。
【００１８】
この他、中塗り材５及び仕上げ材３２の各厚みは、いずれもネット６，３１を含めた厚みが１〜２ｍｍ程度としており、さらに仕上げ塗装材３３の厚みも１〜２ｍｍ程度としている。
【００１９】
図３は、断熱材連結ピン２０の他の実施形態を示している。ここでは、断熱材３０を固定する連結軸２１０が軸表面に複数の突起２１０ａを形成したものであって、連結軸２１０に断熱材３０を突刺した時の固着力が優れている。
【００２０】
外壁補修をするコンクリート建造物は、外装材２が剥離して剥落のおそれがあり又はタイル等が欠損していることが多いので、補修工事の前にこれらの欠損部分を修復しておく必要がある。
【図面の簡単な説明】
【００２１】
【図１】コンクリート構造物の外壁補修工事と外断熱工事を施工した状態を示す断面図。
【図２】ピン部材を示しており、（ａ）はネット固定莢管及び断熱材連結ピンの斜視図、（ｂ）はネット固定莢管の断面図及び断熱材連結ピンの側面図。
【図３】断熱材連結ピンの他の実施形態を示す斜視図。
【符号の説明】
【００２２】
１  コンクリート躯体
２  外装材
３  モルタル層
４  タイル
５  中塗り材
６  ネット
７  打込み穴
１０  ネット固定莢管
１１  フランジ部
１２  スリット
１３  拡開部
２０  断熱材連結ピン
２１  連結軸
２２  打込み棒
２３  小径フランジ
３０  断熱材
３１  ネット
３２  仕上げ材
３３  仕上げ塗装材
【図１】
2006002467.tif 000003
【図２】
2006002467.tif 000004
【図３】
2006002467.tif 000005